(57)【要約】【課題】本発明の目的は、モジュールに関する部材を効率良く実装した電子機器を得ることにある。【解決手段】電子機器１は、筐体４と、筐体４に収容され、第１の孔部２９とコネクタ３１ａとを有するモジュール２１と、コネクタ３１ａに電気的に接続されるケーブル１４ａと、第１の孔部２９に挿入され、モジュール２１を筐体４内に固定する固定具２３と、コネクタ３１ａを覆うとともに、第１の孔部２９に連通する第２の孔部４４を有し、固定具２３によりモジュール２１と併せて固定されるカバー２２とを具備する。【選択図】      図７
2007206804.tif 000002
【特許請求の範囲】
【請求項１】
筐体と、
上記筐体に収容され、第１の孔部とコネクタとを有するモジュールと、
上記コネクタに電気的に接続されるケーブルと、
上記第１の孔部に挿入され、上記モジュールを上記筐体内に固定する固定具と、
上記コネクタを覆うとともに、上記第１の孔部に連通する第２の孔部を有し、上記固定具により上記モジュールと併せて固定されるカバーと、
を具備することを特徴とする電子機器。
【請求項２】
請求項１に記載の電子機器において、
上記第１の孔部は、上記コネクタを間に挟むように互いに分かれて配置される第１の孔と第２の孔とを有し、
上記第２の孔部は、上記第１の孔に連通する第３の孔と、上記第２の孔に連通する第４の孔とを有し、
上記固定具は、上記第１の孔および上記第３の孔に挿入される第１の固定部材と、上記第２の孔および上記第４の孔に挿入される第２の固定部材とを有することを特徴とする電子機器。
【請求項３】
請求項１に記載の電子機器において、
上記第１の孔部は、上記コネクタを間に挟むように互いに分かれて配置される第１の孔と第２の孔とを有し、
上記固定具は、上記第１の孔に挿入される第１の固定部材と、上記第２の孔に挿入される第２の固定部材とを有し、
上記カバーは、上記第２の孔に挿入された上記第２の固定部材を覆うとともに、上記第１の孔に連通する第３の孔を有し、上記第１の固定部材により固定されることを特徴とする電子機器。
【請求項４】
請求項３に記載の電子機器において、
上記カバーは、上記コネクタおよび上記第２の固定部材を覆うカバー部と、上記第３の孔とは反対の端部に設けられ、上記モジュールの端部に係止される係止部とを有することを特徴とする電子機器。
【請求項５】
筐体と、
上記筐体に収容され、第１の孔と第２の孔とを有するモジュールと、
上記第１の孔に挿入される第１の固定部材と、上記第２の孔に挿入される第２の固定部材とを有し、上記モジュールを上記筐体内に固定する固定具と、
上記第２の孔に挿入された上記第２の固定部材を覆うとともに、上記第１の孔に連通する第３の孔を有し、上記第１の固定部材により上記モジュールと併せて固定されるカバーと、
を具備することを特徴とする電子機器。
【請求項６】
請求項５に記載の電子機器において、
上記カバーは、上記第２の固定部材を覆うカバー部と、上記第３の孔とは反対の端部に設けられ、上記モジュールの端部に係止される係止部とを有することを特徴とする電子機器。
【請求項７】
請求項４または請求項６に記載の電子機器において、
上記係止部の先端は、上記カバー部が対向する面とは反対の上記モジュールの面に掛かることを特徴とする電子機器。
【請求項８】
筐体と、
上記筐体に収容され、第１の孔部とコネクタとを有するモジュールと、
上記コネクタに電気的に接続されるケーブルと、
上記第１の孔部に連通する第２の孔部が開口する固定部と、上記コネクタを覆うカバー部とを有する取外防止部材と、
上記第１の孔部および上記第２の孔部に挿入され、上記モジュールおよび上記取外防止部材を上記筐体内に固定する固定具と、
を具備することを特徴とする電子機器。
【請求項９】
請求項８に記載の電子機器において、
上記第１の孔部は、上記コネクタを間に挟むように互いに分かれて配置される第１の孔と第２の孔とを有し、
上記固定具は、上記第１の孔に挿入される第１の固定部材と、上記第２の孔に挿入される第２の固定部材とを有し、
上記取外防止部材は、上記モジュールの端部に係合するフック部と上記第１の孔に連通する第３の孔とを有し、上記第２の孔に挿入された上記第２の固定部材を覆うように取り付けられ、上記フック部と上記第３の孔に挿入される上記第１の固定部材とにより固定されることを特徴とする電子機器。
【発明の詳細な説明】
【技術分野】
【０００１】
本発明は、筐体内にモジュールを実装する電子機器に係り、特にモジュールに関する自由な取り外しを制限する構造に関する。
【背景技術】
【０００２】
例えばポータブルコンピュータのような電子機器は、筐体の内部にモジュールを実装する。電子機器に実装されるモジュールには種々の物があるが、中には電子機器の故障や安全性の観点からユーザーによる自由な取り外しを制限するものがある。
【０００３】
例えばアンテナケーブルが電気的に接続されるモジュールの一例は、無線ＬＡＮの規格でそのモジュール自体の取り外しおよびモジュールに接続されたケーブルの取り外しが禁止されている（例えば、米国無線規格ＦＣＣ−１５  ４０７（ｄ）参照）。この規格に適合するために電子機器は、ユーザーが容易に上記のようなモジュールやケーブルを取り外せないように措置が施される。
【０００４】
例えば、制御素子の取り外しを困難なものとした遊技機が提供されている（例えば、特許文献１参照）。特許文献１に記載の遊技機は、制御素子が装着される制御基板と、制御素子の取り外しを防止する取外防止部材とを備える。この取外防止部材は、支持部材、押え板、およびロック部材を有する。
【０００５】
支持部材は、制御素子の前方の制御基板上に設けられている。ロック部材は、制御素子の後方の制御基板上に設けられている。押え板は、支持部材からロック部材に亘って設けられている。押え板が制御素子の上方に近接して被さることで、制御素子の取り外しが困難なものとなる。
【特許文献１】特開２００４−１５４４６２号公報
【発明の開示】
【発明が解決しようとする課題】
【０００６】
モジュールの取り外しを防止する取外防止部材を筐体内に取り付ける場合、その取外防止部材はモジュールを外れた例えば回路基板上などに固定される。すなわち、取外防止部材は、モジュールの領域を越えた収容スペースを必要とする。さらに回路基板上には、モジュールを固定するための部材または穴などが必要となる。
【０００７】
例えば、特許文献１に記載の押え板は、支持部材およびロック部材を介して制御基板に固定される。すなわち、押え板を固定するために、制御基板上に支持部材およびロック部材が設けられている。
【０００８】
一方、近年の電子機器はさらに小型化が要望されており、モジュールに関する部材もなるべく効率よく実装されることが望まれる。上記の取外防止部材や押え板を取り付けるために大きなスペースや固定用部材または穴などが必要となれば、効率的な実装が達成されているとは言えない。
【０００９】
本発明の目的は、モジュールに関する部材を効率良く実装した電子機器を得ることにある。
【課題を解決するための手段】
【００１０】
上記目的を達成するため、本発明の一つの形態に係る電子機器は、筐体と、上記筐体に収容され、第１の孔部とコネクタとを有するモジュールと、上記コネクタに電気的に接続されるケーブルと、上記第１の孔部に挿入され、上記モジュールを上記筐体内に固定する固定具と、上記コネクタを覆うとともに、上記第１の孔部に連通する第２の孔部を有し、上記固定具により上記モジュールと併せて固定されるカバーとを具備する。
【発明の効果】
【００１１】
この構成によれば、モジュールに関する部材を効率良く実装することができる。
【発明を実施するための最良の形態】
【００１２】
以下に本発明の実施の形態を、ポータブルコンピュータに適用した図面に基づいて説明する。  
図１ないし図５は、本発明の第１の実施形態に係る電子機器としてのポータブルコンピュータ１を開示している。図１に示すように、ポータブルコンピュータ１は、本体２と表示ユニット３とを備えている。本体２は、筐体４を備える。筐体４は、上壁４ａ、側壁４ｂおよび図示しない底壁を有する箱状に形成されている。上壁４ａは、キーボード５を支持する。
【００１３】
図２は、キーボード５を取り外した筐体４を示す。図２に示すように、上壁４ａは、キーボード載置部６を有する。キーボード載置部６は、キーボード５の外形よりわずかに大きい窪みを有する。キーボード載置部６は、底壁６ａを有する。キーボード５は、底壁６ａに着脱自在に載置される。底壁６ａには、開口部７が形成されている。開口部７は、筐体４の内部に開口している。
【００１４】
図２に示すように、本体２の後端部にはヒンジ部８が設けられている。ヒンジ部８は、表示ユニット３を回動可能に支持している。そのため、表示ユニット３は、上壁４ａを上方から覆うように倒される閉じ位置と、上壁４ａを露出させるように起立する開き位置との間で回動可能である。
【００１５】
表示ユニット３は、ディスプレイハウジング１１と、このディスプレイハウジング１１に収容された液晶表示パネル１２とを備える。液晶表示パネル１２は、表示画面１２ａを有する。表示画面１２ａは、ディスプレイハウジング１１の前面の開口部１１ａを通じてディスプレイハウジング１１の外部に露出している。
【００１６】
図２に示すように、ディスプレイハウジング１１は、一対のアンテナ１３ａ，１３ｂを収容している。アンテナ１３ａ，１３ｂには、それぞれ同軸ケーブル１４ａ，１４ｂの一端が電気的に接続されている。同軸ケーブル１４ａ，１４ｂの他端は、ヒンジ部８の中を通って表示ユニット３から本体２の筐体４内へと導かれている。
【００１７】
図２に示すように、筐体４は、回路基板１６を収容している。図３に示すように、回路基板１６には、モジュール接続用コネクタ１７が実装されている。モジュール接続用コネクタ１７の一例は、Ｍｉｎｉｃａｒｄモジュールの規格に則したコネクタである。モジュール接続用コネクタ１７は、回路基板１６に電気的に接続されている。図４に示すように、モジュール接続用コネクタ１７の一端には、スロット１７ａが開口している。
【００１８】
図４に示すように、筐体４はさらに、カードモジュール２１、カバー２２、並びに第１および第２のねじ２３，２４を収容している。カバー２２は、取外防止部材の一例である。第１のねじ２３は、第１の固定部材の一例である。第２のねじ２４は、第２の固定部材の一例である。
【００１９】
カードモジュール２１の一例は、例えばＭｉｎｉｃａｒｄモジュールの規格に則した無線ＬＡＮ用のモジュールである。カードモジュール２１は、接続パッド部２６、取付部２７、コネクタ部２８、および第１の孔部２９を有する。
【００２０】
接続パッド部２６は、カードモジュール２１の長手方向の一端に設けられている。接続パッド部２６は、複数の接続パッドを有し、モジュール接続用コネクタ１７のスロット１７ａに差し込まれる。これにより、カードモジュール２１は、モジュール接続用コネクタ１７を介して回路基板１６に電気的に接続される。
【００２１】
取付部２７は、カードモジュール２１の長手方向の他端に設けられている。取付部２７は、カードモジュール２１の他の部位に比べて薄くなっている。取付部２７は、カードモジュール２１の全幅に亘って形成されている。
【００２２】
図４に示すように、コネクタ部２８は、取付部２７の中央部に設けられている。コネクタ部２８は、一対のコネクタ３１ａ，３１ｂを有する。コネクタ３１ａ，３１ｂは、互いにカードモジュール２１の幅方向に分かれて配置される。コネクタ３１ａ，３１ｂは、それぞれ導電性を有するとともに円筒状に形成された突起であり、取付部２７から上方を向いて突出している。コネクタ３１ａ，３１ｂには、それぞれ同軸ケーブル１４ａ，１４ｂが電気的に接続される。
【００２３】
同軸ケーブル１４ａ，１４ｂは、それぞれ先端に端子３２を有する。端子３２は、円筒状に形成されるとともに下方を向いて開口する開口部３２ａを有する。この端子３２の開口部３２ａがそれぞれコネクタ３１ａ，３１ｂに嵌合することで、同軸ケーブル１４ａ，１４ｂはカードモジュール２１に電気的に接続される。
【００２４】
Ｍｉｎｉｃａｒｄモジュールの規格は、モジュールを筐体４内にねじ止めするように規定している（例えば、PCI express MINI CARD ELECTROMECHANICAL SPECIFICATION参照）。本実施形態に係るカードモジュール２１は、上記規格に沿ったモジュールである。したがってカードモジュール２１は、上記規格に沿って一端に第１の孔部２９を備える。
【００２５】
第１の孔部２９は、第１の孔２９ａと第２の孔２９ｂとを有する。第１の孔２９ａと第２の孔２９ｂとは、互いの間にコネクタ３１ａ，３１ｂを挟むようにして、取付部２７の両端部に分かれて配置される。第１の孔２９ａおよび第２の孔２９ｂは、それぞれ取付部２７を上下方向に貫通する貫通孔である。
【００２６】
図４および図５に示すように、回路基板１６には、一対の第１および第２のスタッド３４ａ，３４ｂが設けられている。第１のスタッド３４ａは、第１の孔２９ａの下方に対応して設けられている。第２のスタッド３４ｂは、第２の孔２９ｂの下方に対応して設けられている。第１および第２のスタッド３４ａ，３４ｂは、それぞれ上方を向いて開口するねじ穴３５を有する。
【００２７】
カードモジュール２１の第１および第２の孔２９ａ，２９ｂは、それぞれ第１および第２のスタッド３４ａ，３４ｂのねじ穴３５に連通する。第１および第２のスタッド３４ａ，３４ｂの一例は、例えば金属のような導電性を有する部材で形成されている。第１および第２のスタッド３４ａ，３４ｂは、回路基板１６の図示しないグランド層に電気的に接続されている。
【００２８】
なお以下、取付部２７からモジュール接続用コネクタ１７を向く方向を「前」、取付部２７の中心から第１の孔２９ａを向く方向を「右」、取付部２７の中心から第２の孔２９ｂを向く方向を「左」と定義して説明する。
【００２９】
図３および図４に示すように、カバー２２は、取付部２７に載置される。カバー２２の長手方向の長さは、カードモジュール２１の幅と略同じである。カバー２２の一例は、例えばステンレス鋼のような板金で形成されている。ただしカバー２２は、例えば合成樹脂のような成形品で形成されていても良い。
【００３０】
カバー２２は、第１の固定部４１、第２の固定部４２、およびカバー部４３を有する。  
第１の固定部４１は、カバー２２の右端部に設けられている。第１の固定部４１には、第３の孔４４ａが開口している。第３の孔４４ａは、カードモジュール２１の第１の孔２９ａに対応する位置に設けられ、第１の孔２９ａに連通する。
【００３１】
第２の固定部４２は、カバー２２の左端部に設けられている。第２の固定部４２には、第４の孔４４ｂが開口している。第４の孔４４ｂは、カードモジュール２１の第２の孔２９ｂに対応する位置に設けられ、第２の孔２９ｂに連通する。なお、第３および第４の孔４４ａ，４４ｂは、第２の孔部４４の一例である。
【００３２】
図４に示すように、第１の固定部４１は、右折曲部４１ａと後折曲部４１ｂとを有する。右折曲部４１ａは、第１の固定部４１の右端から下方に折り曲がっている。後折曲部４１ｂは、第１の固定部４１の後端から下方に折り曲がっている。右折曲部４１ａと後折曲部４１ｂとは、それぞれカードモジュール２１の右端または後端に接する。
【００３３】
第２の固定部４２は、左折曲部４２ａと後折曲部４２ｂとを有する。左折曲部４２ａは、第２の固定部４２の左端から下方に折り曲がっている。後折曲部４２ｂは、第２の固定部４２の後端から下方に折り曲がっている。左折曲部４２ａと後折曲部４２ｂとは、それぞれカードモジュール２１の左端または後端に接する。
【００３４】
カバー部４３は、第１の固定部４１と第２の固定部４２との間に設けられている。カバー部４３は、天井壁４６と側壁４７，４８とを有する。図５に示すように、天井壁４６は、少なくとも同軸ケーブル１４ａ，１４ｂの端子３２の上面より高くなるように形成されている。天井壁４６の一例は、図５に示すようにコネクタ３１ａ，３１ｂの上面との間にほとんど隙間を開けずにコネクタ３１ａ，３１ｂの上方を覆う。ただしカバー部４３は、コネクタ３１ａ，３１ｂの上面との間に所定の隙間を有しても良い。
【００３５】
一対の側壁４７，４８は、それぞれ天井壁４６の左右から第１または第２の固定部４１，４２を向いて延びており、天井壁４６を第１または第２の固定部４１，４２に繋げている。すなわちカバー２２は、コネクタ部２８を跨ぐようにカードモジュール２１に取り付けられ、同軸ケーブル１４ａ，１４ｂの端子３２を覆い隠す。カバー２２がコネクタ部２８に対するユーザーアクセスを制限することで、コネクタ部２８が保護される。
【００３６】
図４に示すように、第１のねじ２３は、第３の孔４４ａおよび第１の孔２９ａに挿入され、第１のスタッド３４ａのねじ穴３５に係合する。第２のねじ２４は、第４の孔４４ｂおよび第２の孔２９ｂに挿入され、第２のスタッド３４ｂのねじ穴３５に係合する。これにより、カードモジュール２１は、回路基板１６に固定される。カバー２２は、カードモジュール２１と併せて筐体４内に固定される。すなわち、第１および第２のねじ２３，２４は、カードモジュール２１を筐体４内に固定する固定具として機能する。
【００３７】
第１および第２のねじ２３，２４の一例は、例えば自動車技術者協会規格「JASO F116-89」に規定されるトルクス（登録商標）（テキストロン社）ねじである。トルクスねじは、トルクスねじに対応した専門工具（以下、トルクス工具）でしか取り外しができない。トルクス工具は一般のユーザーには普及していない。
【００３８】
なお、第１および第２のねじ２３，２４はトルクスねじに限らず、一般に普及している普通のねじでも良い。ただし、上記無線ＬＡＮの規格に沿ったモジュールを固定する場合は、第１および第２のねじ２３，２４は、一般のユーザーに普及している工具では取り外しのできない特殊なねじが好ましい。
【００３９】
なお本明細書で「特殊なねじ」とは、例えばトルクスねじ、２ホールねじ、トライウィング、または三回対称性や五回対称性のねじその他一般のユーザーに普及していないねじを指す。  
第１および第２のねじ２３，２４が第１および第２のスタッド３４ａ，３４ｂに係合することで、カバー２２がアースされる。
【００４０】
次に、ポータブルコンピュータ１の組立および作用について説明する。  
カードモジュール２１は、キーボード載置部６の開口部７を通じてモジュール接続用コネクタ１７に着脱される。カードモジュール２１をモジュール接続用コネクタ１７に取り付けた後に、コネクタ３１ａ，３１ｂに同軸ケーブル１４ａ，１４ｂを接続する。なお、コネクタ３１ａ，３１ｂに同軸ケーブル１４ａ，１４ｂを接続するのはカードモジュール２１をモジュール接続用コネクタ１７に取り付ける前であっても良い。
【００４１】
コネクタ３１ａ，３１ｂに同軸ケーブル１４ａ，１４ｂを接続した後、カバー部４３がコネクタ部２８を覆うようにしてカバー２２を取付部２７に載置する。第３の孔４４ａを第１の孔２９ａに合わせるとともに、第４の孔４４ｂを第２の孔２９ｂに合わせる。カバー２２を取付部２７に載置する時、第１の固定部４１の右後折曲部４１ａ，４１ｂ、および第２の固定部４２の左後折曲部４２ａ，４２ｂを取付部２７の縁部に沿わせることで、カバー２２が適切に位置合わせされる。
【００４２】
カバー２２を取付部２７に載置した後に、第１のねじ２３を第３の孔４４ａおよび第１の孔２９ａに挿入し、第１のスタッド３４ａのねじ穴３５にねじ込む。第２のねじ２４を第４の孔４４ｂおよび第２の孔２９ｂに挿入し、第２のスタッド３４ｂのねじ穴３５にねじ込む。これにより、カバー２２はカードモジュール２１と併せて回路基板１６に固定される。
【００４３】
カバー２２を取付部２７に取り付けると、コネクタ部２８は、カバー２２に覆われる。カバー２２がコネクタ部２８を覆うと、ユーザーによる同軸ケーブル１４ａ，１４ｂの自由な取り外しが制限される。さらに、第１および第２のねじ２３，２４にトルクスねじのような特殊なねじを用いれば、ユーザーによるモジュール自体の自由な取り外しが制限される。
【００４４】
このような構成のポータブルコンピュータ１によれば、カードモジュール２１に関する部材を効率良く実装することができる。すなわち、第１および第２のねじ２３，２４は、カードモジュール２１を固定する固定具である。本実施形態に係るカバー２２は、この第１および第２のねじ２３，２４を利用して固定される。第１および第２のねじ２３，２４を利用してカバー２２を固定することで、カバー２２を固定する用のねじを省略することができる。
【００４５】
カバー２２を固定する用のねじを省略できることは、ポータブルコンピュータ１の低コスト化に寄与する。第１および第２のねじ２３，２４を利用することで、カードモジュール２１を固定する作業においてカバー２２も同時に固定される。カバー２２がカードモジュール２１と併せて固定されることは、カバー２２を固定する用のねじを締結する時間を省略できるので、ポータブルコンピュータ１の組立性の向上に寄与する。
【００４６】
カバー２２の取り付けに、第１および第２のねじ２３，２４を利用することで、カバー２２をカードモジュール２１の領域内に収まる大きさに小型化することができる。すなわち、カバー２２をカードモジュール２１を外れる部位にまで延伸させる必要が無くなる。これにより、カバー２２が必要とするスペースが小さくなり、カードモジュール２１に関する部材の実装面積が小さくなる。換言すれば、カードモジュール２１に関する部材の実装効率が高まる。
【００４７】
カードモジュール２１が上記のＭｉｎｉｃａｒｄモジュールの規格に沿っている場合、第１および第２のねじ２３，２４は、カードモジュール２１を固定するために規格上不可欠な部材となる。この第１および第２のねじ２３，２４を利用することで、ポータブルコンピュータ１は、上記の規格を満たしつつ、カードモジュール２１に関する部材を効率良く実装することができる。
【００４８】
コネクタ３１ａ，３１ｂを挟むように第１および第２の孔２９ａ，２９ｂが設けられ、第１および第２のねじ２３，２４を用いてカバー２２が固定されると、カバー２２がコネクタ３１ａ，３１ｂを覆うとともに、安定して筐体４内に固定される。
【００４９】
次に、本発明の第２の実施形態に係る電子機器としてのポータブルコンピュータ６１を、図６ないし図１２を参照して説明する。なお第１の実施形態に係るポータブルコンピュータ１と同じ機能を有する構成は、同一の符号を付してその説明を省略する。
【００５０】
図６および図７に示すように、ポータブルコンピュータ６１の筐体４は、カードモジュール２１、カバー６２、並びに第１のねじ２３、および第２のねじ６３を収容している。カバー６２は、取外防止部材の一例である。第２のねじ６３は、第２の固定部材の一例である。
【００５１】
カバー６２は、取付部２７に載置される。カバー６２の長手方向の長さは、カードモジュール２１の幅と略同じである。図８および図９に示すように、カバー６２は、第１の固定部４１、カバー部４３、およびフック部６５を有する。図１２に示すように、カバー部４３は、コネクタ部２８および第２の孔２９ｂに挿入された第２のねじ６３の上方を覆う。
【００５２】
フック部６５は、係止部の一例である。フック部６５は、第１の固定部４１とは反対のカバー６２の端部に設けられる。フック部６５は、第１の部材６５ａ、第２の部材６５ｂ、および第３の部材６５ｃを有する。
【００５３】
図１２に示すように、第１の部材６５ａは、カバー部４３の側壁４８の下端からカードモジュール２１の上面２１ａに沿ってカードモジュール２１の外側を向いて延びる。第２の部材６５ｂは、第１の部材６５ａの延伸端から回路基板１６を向いてカードモジュール２１の下面２１ｂよりわずかに下方まで延びる。第３の部材６５ｃは、第２の部材６５ｂの先端からカードモジュール２１の下面２１ｂに沿ってカードモジュール２１の内側を向いて延びる。
【００５４】
フック部６５は、第１ないし第３の部材６５ａ，６５ｂ，６５ｃがカードモジュール２１の縁部を回り込むことで、すなわち第３の部材６５ｃがカードモジュール２１の下面２１ｂに掛かることで、カードモジュール２１の端部に係合する。なお、カードモジュール２１の上面２１ａは、カバー部４３が対向する面である。
【００５５】
フック部６５がカードモジュール２１の端部に係止することで、フック部６５が設けられるカバー６２の端部は、カードモジュール２１に対して固定される。
【００５６】
フック部６５に隣接するカバー部４３の側壁４８は、位置調整部６６を有する。位置調整部６６は、側壁４８の後端部から回路基板１６向いて突出し、カードモジュール２１の上面２１ａより下方まで延びている。位置調整部６６は、カードモジュール２１の後端部に接する。
【００５７】
図７に示すように、第１のねじ２３は、第３の孔４４ａおよび第１の孔２９ａに挿入され、第１のスタッド３４ａのねじ穴３５に係合する。第１のねじ２３より、カバー６２はカードモジュール２１と併せて固定される。第１のねじ２３は、カードモジュール２１を筐体４内に固定する固定具として機能する。
【００５８】
第２のねじ６３は、第１のねじ２３とは異なる種類である。第２のねじ６３のねじ頭の穴は、第１のねじ２３のねじ頭の穴と異なる。換言すれば、第２のねじ６３のねじ頭の穴に係合する固定工具７１は、第１のねじ２３のねじ頭の穴に係合する固定工具７２とは異なる。
【００５９】
第２のねじ６３の一例は、普通のねじである。なお、本明細書で「普通のねじ」とは、例えばすりわり付きねじや十字穴付きねじのような広く普及しているねじを指す。第２のねじ６３に対応する固定工具７１の一例は、マイナスドライバーやプラスドライバーである。
【００６０】
なお、第２のねじ６３は普通のねじに限らず、例えば第１のねじ２３と同じ種類のトルクスねじなどであっても良い。
【００６１】
次に、ポータブルコンピュータ６１の組立および作用について図１０ないし図１２を参照して説明する。  
図１０に示すように、カードモジュール２１の接続パッド部２６をモジュール接続用コネクタ１７のスロット１７ａに差し込んだ後、第２のねじ６３を第２の孔２９ｂに挿入して第２のスタッド３４ｂのねじ穴３５に係合させる。第２のねじ６３を取り付けた後に、コネクタ３１ａ，３１ｂに同軸ケーブル１４ａ，１４ｂを接続する。なお、コネクタ３１ａ，３１ｂに同軸ケーブル１４ａ，１４ｂを接続するのは第２のねじ６３を取り付ける前であっても良い。
【００６２】
図１１に示すように、コネクタ３１ａ，３１ｂに同軸ケーブル１４ａ，１４ｂを接続した後、カバー部４３がコネクタ部２８および第２のねじ６３を覆うようにカバー６２を取付部２７に載置する。具体的には、フック部６５をカードモジュール２１の端部に引っ掛けるとともに、第３の孔４４ａを第１の孔２９ａに合わせる。カバー６２を取付部２７に載置する時、第１の固定部４１の右後折曲部４１ａ，４１ｂ、および位置調整部６６を取付部２７の縁部に沿わせることで、カバー６２が適切に位置合わせされる。
【００６３】
図１２に示すように、カバー６２を取付部２７に載置した後に、第１のねじ２３を第３の孔４４ａおよび第１の孔２９ａに挿入し、第１のスタッド３４ａのねじ穴３５にねじ込む。これにより、カバー６２はカードモジュール２１と併せて回路基板１６に固定される。
【００６４】
カバー６２を取付部２７に取り付けると、コネクタ部２８および第２のねじ６３は、カバー６２に覆われる。カバー６２がコネクタ部２８を覆うと、ユーザーによる同軸ケーブル１４ａ，１４ｂの自由な取り外しが制限される。カバー６２が第２のねじ６３を覆うと、ユーザーによる第２のねじ６３の自由な取り外しが制限される。さらに、第１のねじ２３にトルクスねじのような特殊なねじを用いれば、ユーザーによるモジュール自体の自由な取り外しが制限される。
【００６５】
このような構成のポータブルコンピュータ６１によれば、カードモジュール２１に関する部材を効率良く実装することができる。すなわち、第１のねじ２３は、カードモジュール２１を固定する固定具である。カバー６２は、この第１のねじ２３を利用して固定される。第１のねじ２３を利用してカバー６２を固定することで、カバー６２を固定する用のねじを省略することができる。カバー６２を固定する用のねじを省略できることは、ポータブルコンピュータ６１の低コスト化、組立性の向上、および実装効率の向上に寄与する。
【００６６】
カードモジュール２１が上記のＭｉｎｉｃａｒｄモジュールの規格に沿っている場合、第１のねじ２３は、カードモジュール２１を固定するために規格上不可欠な部材となる。この第１のねじ２３を利用することで、ポータブルコンピュータ６１は、上記の規格を満たしつつ、カードモジュール２１に関する部材を効率良く実装することができる。
【００６７】
カバー６２がコネクタ部２８に加えて第２のねじ６３を覆うと、ユーザーが第２のねじ６３を自由に取り外しできなくなる。これにより、例えばモジュールの取り外しを制限する規格がある場合、よりその規格に沿ったポータブルコンピュータ６１を得ることができる。
【００６８】
本実施形態に係るポータブルコンピュータ６１の場合、第２のねじ６３を普通のねじにすることができる。すなわち、ユーザーは、第１のねじ２３を取り外さない限り第２のねじ６３を取り外すことができない。その第１のねじ２３を例えばトルクスねじのような特殊なねじを用いることで、ユーザーの取り外しを制限しつつ、第２のねじ６３を普通のねじとすることができる。換言すれば、第２のねじ６３を覆うカバー６２を有することで、上記の規格を満たしつつ特殊なねじの利用本数を減らすことができる。
【００６９】
ここで、例えばトルクスねじのような特殊なねじは、普通のねじに比べてコストが高く、さらに組立性があまり良くない。したがって、特殊ねじの利用本数を減らすことは、ポータブルコンピュータ６１の低コスト化、および組立性の向上に寄与する。
【００７０】
カバー６２がフック部６５を有すると、フック部６５と第１のねじ２３とが協働することで、カバー６２が確実に固定される。すなわち、カバー６２がフック部６５を有することで、第２のねじ６３を利用しなくてもカバー６２を確実に固定できる。特に、フック部６５の先端がカードモジュール２１の下面２１ｂに掛かると、カバー６２がカードモジュール２１の上下方向に確実に固定される。
【００７１】
次に、本発明の第３の実施形態に係る電子機器としてのポータブルコンピュータ８１を、図１３を参照して説明する。なお第１および第２の実施形態に係るポータブルコンピュータ１，６１と同じ機能を有する構成は、同一の符号を付してその説明を省略する。
【００７２】
ポータブルコンピュータ８１の筐体４は、カードモジュール８２、カバー６２、並びに第１のねじ２３、および第２のねじ６３を収容している。カードモジュール８２は、接続パッド部２６、取付部２７、および第１の孔部２９を有する。
【００７３】
カバー６２を取付部２７に取り付けると、第２のねじ６３は、カバー６２に覆われる。カバー６２が第２のねじ６３を覆うと、ユーザーによる第２のねじ６３の自由な取り外しが制限される。さらに、第１のねじ２３にトルクスねじのような特殊なねじを用いれば、ユーザーによるモジュール自体の自由な取り外しが制限される。
【００７４】
このような構成のポータブルコンピュータ８１によれば、カードモジュール８２に関する部材を効率良く実装することができる。すなわち、第１のねじ２３は、カードモジュール８２を固定する固定具である。カバー６２は、この第１のねじ２３を利用して固定される。第１のねじ２３を利用してカバー６２を固定することで、カバー６２を固定する用のねじを省略することができる。カバー６２を固定する用のねじを省略できることは、ポータブルコンピュータ８１の低コスト化、組立性の向上、および実装効率の向上に寄与する。
【００７５】
カバー６２が第２のねじ６３を覆うと、ユーザーが第２のねじ６３を自由に取り外しできなくなる。これにより、例えばモジュールの取り外しを制限する規格がある場合、よりその規格に沿ったポータブルコンピュータ８１を得ることができる。
【００７６】
本実施形態に係るポータブルコンピュータ８１の場合、第２のねじ６３を普通のねじにすることができる。第１のねじ２３を例えばトルクスねじのような特殊なねじを用いることで、ユーザーの取り外しを制限しつつ、第２のねじ６３を普通のねじとすることができる。これにより、上記の規格を満たしつつ特殊なねじの利用本数を減らすことができる。
【００７７】
以上、第１ないし第３の実施形態に係るポータブルコンピュータ１，６１，８１について説明したが、本発明はもちろんこれらに限定されるものではない。例えば、カバー２２は、二本のねじによって固定されているが、このねじは一本でも良いし、三本以上でも良い。すなわち、カバー２２が少なくとも第１の固定部４１とカバー部４３とを有せば、ケーブル１４ａ，１４ｂの取り外しに制限を加えることができる。さらにカバー６２は、フック部６５を有さなくても良い。すなわちカバー６２が少なくとも第１の固定部４１とカバー部４３とを有せば、第２のねじ６３の取り外しに制限を加えることができる。固定具は、少なくとも一つの固定部材を有せば良い。第１の孔部および第２の孔部は、それぞれ少なくとも一つの孔を有せば良い。
【００７８】
カードモジュール２１，８２が固定されるのは、回路基板１６に限らず筐体４でも良い。第１および第２の固定部材は、ねじに限らず、ボルトなどであっても良い。この場合、例えば一般に普及しているボルトとして六角ボルトや六角穴付きボルトを採用し、特殊なボルトとして六角穴の中にピンが立っているピン付き六角穴付きボルトなどを採用することもできる。係止部は、フック部６５に限らず、例えばカードモジュール２１の上面２１ａに差込口を設け、この差込口に嵌合するラッチのようなものでも良い。
【００７９】
本発明の実施形態は、ねじまたはボルトのような固定具により回路基板１６または筐体４に取り付けられるモジュールであれば広く適用することができる。本発明の実施形態が適用可能な電子機器はポータブルコンピュータに限らず、例えば携帯電話、デジタルカメラ、ビデオカメラ、またはパーソナルデジタルアシスタントのようなあらゆる種類の電子機器に適用することができる。
【図面の簡単な説明】
【００８０】
【図１】本発明の第１の実施形態に係るポータブルコンピュータの斜視図。
【図２】図１中に示されたポータブルコンピュータを一部分解して示す斜視図。
【図３】図２中に示されたカードモジュール回りの斜視図。
【図４】図２中に示されたカードモジュール回りを分解して示す斜視図。
【図５】図２中に示されたカードモジュール回りの断面図。
【図６】本発明の第２の実施形態に係るポータブルコンピュータのカードモジュール回りの斜視図。
【図７】図６中に示されたカードモジュール回りを分解して示す斜視図。
【図８】図６中に示されたカバーの斜視図。
【図９】図８中に示されたカバーを別の角度から見た斜視図。
【図１０】図６中に示されたカードモジュールに第２のねじを取り付ける状態を示す断面図。
【図１１】図１０中に示されたカードモジュールにカバーを取り付ける状態を示す断面図。
【図１２】図１１中に示されたカードモジュールに第１のねじを取り付ける状態を示す断面図。
【図１３】本発明の第３の実施形態に係るポータブルコンピュータのカードモジュールの断面図。
【符号の説明】
【００８１】
１…ポータブルコンピュータ、４…筐体、１４ａ．１４ｂ…同軸ケーブル、２１…カードモジュール、２１ａ…上面、２１ｂ…下面、２２…カバー、２９…第１の孔部、２９ａ…第１の孔、２９ｂ…第２の孔、３１ａ．３１ｂ…コネクタ、４１…第１の固定部、４２…第２の固定部、４３…カバー部、４４ａ…第３の孔、４４ｂ…第４の孔、４４…第２の孔部、６１…ポータブルコンピュータ、６２…カバー、６５…フック部。
【図１】
2007206804.tif 000003
【図２】
2007206804.tif 000004
【図３】
2007206804.tif 000005
【図４】
2007206804.tif 000006
【図５】
2007206804.tif 000007
【図６】
2007206804.tif 000008
【図７】
2007206804.tif 000009
【図８】
2007206804.tif 000010
【図９】
2007206804.tif 000011
【図１０】
2007206804.tif 000012
【図１１】
2007206804.tif 000013
【図１２】
2007206804.tif 000014
【図１３】
2007206804.tif 000015